【手続補正書】
【提出日】平成25年2月15日(2013.2.15)
【手続補正１】
【補正対象書類名】特許請求の範囲
【補正対象項目名】全文
【補正方法】変更
【補正の内容】
【特許請求の範囲】
【請求項１】
患者に規定された症状を改善させるキットにおいて：
選択された一組の１以上の補正領域に設定する１以上の矯正要素または手段と；
選択された一組の１以上の補正領域に前記１以上の矯正要素を適用する説明書とを具えており、前記補正領域は前記患者の皮膚の表面上かつ前記患者の視界内の表面領域または患者の視界内に規定された角度領域であり、前記１以上の補正領域は前記症状と関連していることを特徴とするキット。
【請求項２】
請求項１に記載のキットにおいて、前記患者が、左の光心（ＬＯＣ）と、右の光心（ＲＯＣ）と、それらの間を接続する水平線（ＨＬ）とを有することを特徴とするキット。
【請求項３】
請求項２に記載のキットにおいて、前記患者の皮膚の表面が前記患者の鼻の表面を含み、前記鼻は前記ＨＬに対して垂直な縦軸を規定していることを特徴とするキット。
【請求項４】
請求項１乃至３の何れか一項に記載のキットにおいて、前記補正領域が角度領域によって規定され、前記矯正要素は前記患者の角度領域に対して定位置に固定されたデバイスに配置されることを特徴とするキット。
【請求項５】
請求項１乃至４に記載のキットにおいて、前記補正領域にマークがあり、当該マークが、ステッカー、印刷されたマーク、皮膚の刺青、眼鏡のエッチング、光線から選択されることを特徴とするキット。
【請求項６】
請求項１乃至５の何れか一項に記載のキットにおいて、前記補正領域が所定の補正領域のデータベースから選択され、当該データベースは一連の補正領域に関連する一連の規定された症状と前記１以上の補正領域に配置される前記矯正要素のパラメータとを含む、体系化された記録の収集を具えていることを特徴とするキット。
【請求項７】
請求項６に記載のキットがさらに、眼鏡と、当該眼鏡に前記１以上の矯正要素を適用する説明書とを具えることを特徴とするキット。
【請求項８】
患者に規定された症状を改善する矯正要素において：
当該矯正要素は、改善すべき前記症状に関連している１以上の補正領域に配置されるよう適合しており；
前記１以上の補正領域は、前記患者の視界内に規定された角度領域または前記患者の皮膚の表面上かつ患者の視界内の表面領域であることを特徴とする矯正要素。
【請求項９】
請求項８に記載の矯正要素において、前記患者が、左の光心（ＬＯＣ）と、右の光心（ＲＯＣ）と、それらの間を接続する水平線（ＨＬ）とを有することを特徴とする矯正要素。
【請求項１０】
請求項９に記載の矯正要素において、前記患者の皮膚の表面が前記患者の鼻の表面を含み、前記鼻は前記ＨＬに対して垂直な縦軸を規定していることを特徴とする矯正要素。
【請求項１１】
請求項８乃至１０の何れか一項に記載の矯正要素において、前記補正領域が角度領域によって規定され、前記矯正要素は前記患者の角度領域に対して定位置に固定されたデバイスに配置されることを特徴とする矯正要素。
【請求項１２】
請求項８乃至１１に記載の矯正要素において、前記補正領域にマークがあり、当該マークが、ステッカー、印刷されたマーク、皮膚の刺青、眼鏡のエッチング、光線から選択されることを特徴とする矯正要素。
【請求項１３】
請求項８乃至１２の何れか一項に記載の矯正要素において、前記補正領域が所定の補正領域のデータベースから選択され、当該データベースは一連の補正領域に関連する一連の規定された症状と前記１以上の補正領域に配置される前記矯正要素のパラメータとを含む、体系化された記録の収集を具えていることを特徴とする矯正要素。
【請求項１４】
患者に規定された症状を改善させるシステムにおいて、当該システムが：
規定された症状と当該症状それぞれに関連する補正領域のデータベースを具える管理モジュールであって、前記補正領域は前記患者の顔の皮膚の表面上かつ患者の視界内の表面領域または前記患者の視界内に規定された角度領域である管理モジュールと；
前記患者の症状の詳細を入力する入力ユーティリティと；
前記症状に関連する一組の１以上の補正領域を出力する出力ユーティリティとを具えることを特徴とするシステム。
【請求項１５】
請求項１４に記載のシステムにおいて、前記データベースが、一連の補正領域に関連する一連の規定された症状を含む体系化された記録の収集を具えており、前記記録が各補正領域に関連する矯正要素のパラメータを含んでいることを特徴とするシステム。
【請求項１６】
患者に規定された症状を改善する方法を実行するため、内部に組み込まれたコンピュータ読取可能なプログラムコードを有するコンピュータ利用可能な媒体を具えるコンピュータプログラム製品であって、当該コンピュータプログラム製品が：
前記患者の顔の皮膚の表面上かつ前記患者の視界内の表面領域または前記患者の視界内に規定された角度領域である一組の１以上の補正領域をコンピュータに選択させるコンピュータ読取可能なプログラムコードであって、前記１以上の補正領域は前記症状に関連しているプログラムコードと；
選択された前記補正領域を示すデータをコンピュータに出力させ、ユーザが前記補正領域の前記表面領域上または前記角度領域内に１以上の矯正要素を配置できるようにして、前記症状を改善させるコンピュータ読取可能なプログラムコードとを具えることを特徴とするコンピュータプログラム製品。
【請求項１７】
患者に規定された症状に関連する補正領域を提供する方法において、当該方法が：
前記患者の規定された症状を特定する入力を入手するステップと；
特定した前記規定された症状を利用して第１のデータベースに照会し、特定した前記規定された症状に関連する補正領域を入手するステップであって、前記補正領域は前記患者の顔の皮膚の表面上かつ前記患者の視界内の表面領域または前記患者の視界内に規定された角度領域に対応しているステップと；
前記補正領域を用いて構成された検査に対する前記患者の反応を示す結果を入手するステップと；
選択された前記補正領域に対する前記患者の反応が規定の成績の閾値を満たすことを条件に、選択された前記補正領域に関するデータを出力として提供するステップとを具えることを特徴とする方法。
【請求項１８】
請求項１７に記載の方法がさらに、
選択された前記補正領域に対応する疑似矯正要素を前記患者に呈示し、前記疑似矯正要素に対する前記患者の反応を検査するステップ；
前記検査のベンチマークからの偏差を算出するため、その結果を処理するステップ；
前記結果が所定の閾値を満たすか否かを判定するステップ；
の１以上を含むことを特徴とする方法。
【請求項１９】
請求項１８に記載の方法において、前記所定の閾値がデグラデーション閾値であり、前記結果が所定の閾値を満たすか否かを判定するステップが、前記患者の成績が前記デグラデーション閾値を満たす程度に十分低下したか否かを判定するステップを含んでおり；
前記結果が前記所定の閾値を満たさない場合、選択された前記補正領域に対する前記患者の反応が収束基準を満たすか否かを判定し；
選択された前記補正領域に対する前記患者の反応が前記成績の閾値を満たさず、前記収束基準を満たさない場合、調整した補正領域を算出し、前記調整した補正領域を用いて検査を再構成し；
前記成績の基準または前記収束基準を満たすまで、調整した矯正要素の検索を続け；
当該方法がさらに、前記補正領域に対する前記患者の反応が前記所定の閾値を満たすことを条件に、前記補正領域に対応する矯正要素に関するデータを出力として提供するステップを含むことを特徴とする方法。
【請求項２０】
請求項１９に記載の方法がさらに、更に規定された症状に対して、少なくとも、前記入力を入手するステップと、前記第１のデータベースに照会するステップと、前記更に規定された症状に関連する更なる補正領域および以前に規定された症状に関連する以前の補正領域を用いて構成された検査に対する前記患者の反応を示す結果を入手するステップと、前記更なる補正領域および前記以前の補正領域に対する前記患者の反応が所定の成績の閾値を満たすことを条件に、前記更なる補正領域および前記以前の補正領域に関するデータを出力として提供するステップとを繰り返すステップを含むことを特徴とする方法。
【請求項２１】
請求項１７乃至２０の何れか一項に記載の方法がさらに：
第２のデータベースに照会し、特定した前記規定された症状に関連する規定の原因を判定するステップと；
特定した前記規定された症状および前記規定の原因を利用して第１のデータベースに照会し、特定した前記規定された症状および前記規定の原因に関連する補正領域を入手するステップであって、前記補正領域は前記患者の顔の皮膚の表面上かつ前記患者の視界内の表面領域または前記患者の視界内に規定された角度領域に対応しているステップとを含むことを特徴とする方法。
【請求項２２】
請求項２１に記載の方法において、前記第１のデータベースに照会するステップが特定した前記規定された症状に関連する複数の原因を返答し、前記複数の原因それぞれに対して、特定した前記規定された症状およびそれぞれの前記規定の原因を利用して第２のデータベースに照会し、それぞれの補正領域を入手するステップを反復して繰り返すことを特徴とする方法。
【請求項２３】
請求項１７乃至２２の何れか一項に記載の方法がさらに、前記規定の原因および／または特定した前記規定された症状およびそれぞれの前記補正領域を利用して前記患者の症状に関連する検査を構成するステップを含んでおり、前記検査は、前記患者に前記補正領域に対応する疑似矯正要素を呈示し、前記疑似矯正要素に対する前記患者の反応を検査することを含むことを特徴とする方法。
【請求項２４】
請求項２３に記載の方法において、前記補正領域に対する前記患者の反応が前記所定の閾値を満たす場合、前記補正領域に対応する矯正要素に関するデータを出力として提供することを特徴とする方法。
【請求項２５】
患者に規定された症状に関連する補正領域を提供するシステムにおいて、当該システムが：
前記患者の規定された症状を特定する入力データを受信する入力インタフェースと；
前記規定された症状を特定する照会に反応し、特定した前記規定された症状に関連する各補正領域を返答する第１のデータベースであって、前記補正領域は前記患者の顔の皮膚の表面上かつ前記患者の視界内の表面領域または前記患者の視界内に規定された角度領域または照会に対応している第１のデータベースと；
前記補正領域を用いて構成された検査に対する前記患者の反応を示す結果を入手するよう適合している検査構成および管理モジュールと；
選択された前記補正領域に対する前記患者の反応が所定の成績の閾値を満たすか否かを判定するよう適合している検査評価モジュールと；
選択された前記補正領域に関する出力データとして提供するよう適合している出力提供モジュールとを具えることを特徴とするシステム。
【請求項２６】
請求項２５に記載のシステムにおいて、前記検査評価モジュールが：
選択された前記補正領域に対する前記患者の反応が所定の成績の閾値を満たすことを条件に前記出力提供モジュールが選択された前記補正領域に関するデータを提供することができ；
前記検査のベンチマークからの偏差、または前記結果が所定の閾値を満たすか否かを特定するために前記結果を処理し；
前記結果が前記所定の閾値を満たさない場合には、選択された前記補正領域に対する前記患者の反応が収束基準を満たすか否かを判定するよう構成されていることを特徴とするシステム。
【請求項２７】
請求項２６に記載のシステムにおいて、前記検査構成および管理モジュールが：
特定した前記症状および選択された前記補正領域を利用して、前記患者の症状に関係する検査を構成し；
選択された前記補正領域に対応する疑似矯正要素を前記患者に呈示し、前記疑似矯正要素に対する前記患者の反応を検査し；
選択された前記補正領域に対する前記患者の反応が前記成績の閾値を満たさず、前記収束基準を満たさない場合に、調整した補正領域を算出し、前記調整した補正領域を用いて前記検査をさらに再構成し；
前記成績の基準または前記収束基準を満たすまで、調整した矯正要素の検索を続けるよう適合していることを特徴とするシステム。
【請求項２８】
請求項２５乃至２７の何れか一項に記載のシステムにおいて、前記補正領域に対する前記患者の反応が前記所定の閾値を満たすことを条件に、前記出力提供モジュールが前記補正領域に対応する矯正要素に関するデータを出力として提供するよう適合していることを特徴とするシステム。
【請求項２９】
請求項２５乃至２８の何れか一項に記載のシステムがさらに、特定した前記規定された症状に関連する規定の原因を返答するために、前記規定された症状を特定する照会に反応する第２のデータベースを具えており、
前記第１のデータベースは、特定した前記規定された症状および前記規定の原因に関連する補正領域を返答するために、前記規定された症状を特定する照会に反応し、前記補正領域は、前記患者の皮膚の表面上かつ前記患者の視界内の表面領域または前記患者の視界内に規定された角度領域に対応していることを特徴とするシステム。
【請求項３０】
マシンによって読み取り可能であり、請求項１７乃至２４の何れか一項に記載の方法を実行するマシンによって実行可能な指示のプログラムを具体的に組み込んだプログラム記憶デバイス。